(57)【要約】  【課題】各記録層における情報の記録状態に関わらず、学習動作によって正しいパルス条件を求めることができると共に、ユーザーデータを正しく記録することが可能な光学式情報記録媒体、光学式記録再生方法及び光学式記録再生装置を提供する。  【解決手段】本発明の光学式情報記録媒体(1)は、レーザー光入射側と反対側から順に配置された第１〜第Ｎ（Ｎは、２以上の整数である。）の記録層(3,5)を含み、一方面から入射されたレーザー光が第１〜第Ｎの記録層のうち何れか一つの記録層に照射されることにより情報の記録及び再生が行われる。第１〜第Ｎの記録層の少なくとも何れか一つには補正情報記録部(101,104)が設けられている。補正情報記録部には、第２〜第Ｎの記録層における未記録状態と記録状態との間の透過率の変化に基づいてレーザー光強度を補正するための補正情報が記録されている。【選択図】  図１
2004171740.tif 000002
【特許請求の範囲】
【請求項１】
レーザー光入射側と反対側から順に配置された第１〜第Ｎの記録層（Ｎは、２以上の整数である。）を含み、一方面から入射されたレーザー光が前記第１〜第Ｎの記録層のうち何れか一つの記録層に照射されることにより情報の記録及び再生が行われる光学式情報記録媒体であって、
第１〜第Ｎの記録層の少なくとも何れか一つには補正情報記録部が設けられており、前記補正情報記録部には、第２〜第Ｎの記録層における未記録状態と記録状態との間の透過率の変化に基づいてレーザー光強度を補正するための補正情報が記録されていることを特徴とする光学式情報記録媒体。
【請求項２】
前記第１〜第Ｎの記録層の少なくとも何れか一つは再生専用のリードイン領域を含んでおり、
前記補正情報記録部は前記リードイン領域に設けられている請求項１に記載の光学式情報記録媒体。
【請求項３】
前記光学式情報記録媒体はディスク形状であって、
前記第１〜第Ｎの記録層は、少なくともテスト記録を行うためのテスト記録領域と、ユーザーデータを記録するための情報記録領域とを含んでおり、
第Ｋの記録層（Ｋは、１≦Ｋ≦Ｎ−１を満たす任意の整数である。）のテスト記録領域は、前記第Ｋ＋１〜第Ｎの記録層のテスト記録領域及び情報記録領域とは異なる半径位置に配置されている請求項１に記載の光学式情報記録媒体。
【請求項４】
前記第１〜第Ｎの記録層には、レーザー光をトラッキングするための案内溝が設けられており、
前記第Ｋ＋１〜第Ｎの記録層において、前記第Ｋの記録層のテスト記録領域が配置されている半径位置には、情報記録領域の案内溝と実質的に同じ形状の案内溝が設けられている請求項３に記載の光学式情報記録媒体。
【請求項５】
前記補正情報が、前記第２〜第Ｎの記録層における未記録状態の透過率Ｔ１と記録状態の透過率Ｔ２とから求められる補正係数である請求項１に記載の光学式情報記録媒体。
【請求項６】
前記補正情報が補正係数であり、
前記補正係数は、第Ｋの記録層（Ｋは、１≦Ｋ≦Ｎ−１を満たす任意の整数である。）よりもレーザー光入射側に配置された第Ｋ＋１〜第Ｎの記録層の少なくとも何れか一つが未記録状態の場合に、前記補正係数にて補正された補正レーザー光を用いて第Ｋの記録層に記録された情報の再生信号の品質が所定の基準を満たすように設定されている請求項１に記載の光学式情報記録媒体。
【請求項７】
前記補正情報が、前記第２〜第Ｎの記録層について、情報を記録することによって透過率が低下するか増大するかを示す透過率変化情報である請求項１に記載の光学式情報記録媒体。
【請求項８】
前記補正情報にて補正したレーザー光を用いてユーザーデータの記録を行う目標となる記録層を特定する目標記録層情報が、前記補正情報と共に前記補正情報記録部に記録されている請求項１に記載の光学式情報記録媒体。
【請求項９】
前記目標となる記録層よりもレーザー光入射側に配置された何れかの記録層を特定する記録層特定情報が、前記補正情報及び目標記録層情報と共に前記補正情報記録部に記録されている請求項８に記載の光学式情報記録媒体。
【請求項１０】
前記第１〜第Ｎの記録層は、ユーザーデータを記録するための情報記録領域を含んでおり、前記第１〜第Ｎの記録層に含まれる情報記録領域のうち少なくとも一つは、前記情報記録領域が記録済である記録層を示す記録済記録層情報が記録される記録済記録層情報記録部を含む請求項１に記載の光学式情報記録媒体。
【請求項１１】
前記記録済記録層情報には、記録済領域の位置を特定する記録済アドレス情報が含まれる請求項１０に記載の光学式情報記録媒体。
【請求項１２】
レーザー光入射側と反対側から順に配置された第１〜第Ｎの記録層（Ｎは、２以上の整数である。）を含み、第１〜第Ｎの記録層の少なくとも何れか一つには補正情報記録部が設けられており、前記補正情報記録部には、第２〜第Ｎの記録層における未記録状態と記録状態との間の透過率の変化に基づいてレーザー光強度を補正するための補正情報が記録されている光学式情報記録媒体に対して情報の記録及び再生を行う光学式記録再生方法であって、
第Ｋの記録層（Ｋは、１≦Ｋ≦Ｎ−１を満たす任意の整数である。）に対して情報の記録再生を行う際、前記補正情報を用いてレーザー光の強度を含むパルス条件を決定することを特徴とする光学式記録再生方法。
【請求項１３】
前記光学式情報記録媒体はディスク形状であって、前記第１〜第Ｎの記録層は、少なくともテスト記録を行うためのテスト記録領域と、ユーザーデータを記録するための情報記録領域とを含んでおり、第Ｋの記録層のテスト記録領域は、第Ｋ＋１〜第Ｎの記録層のテスト記録領域及び情報記録領域とは異なる半径位置に配置されており、
第Ｋの記録層に対して情報の記録を行う際、第Ｋの記録層のテスト記録領域でテスト記録を行い、前記テスト記録の結果と前記補正情報とを用いてレーザー光の強度を含むパルス条件を決定する請求項１２に記載の光学式記録再生方法。
【請求項１４】
前記補正情報が補正係数であり、前記補正係数が、第Ｋの記録層よりもレーザー光入射側に配置された第Ｋ＋１〜第Ｎの記録層の少なくとも何れか一つが未記録状態の場合に、前記補正係数にて補正された補正レーザー光を用いて第Ｋの記録層に記録された情報の再生信号の品質が所定の基準を満たすように設定されており、
第Ｋの記録層に対して情報の記録を行う際、前記補正係数を用いてレーザー光の強度を含むパルス条件を決定する請求項１２に記載の光学式記録再生方法。
【請求項１５】
前記再生信号の品質は、前記再生信号のジッター値を測定することにより評価される請求項１４に記載の光学式記録再生方法。
【請求項１６】
前記補正情報が、前記第２〜第Ｎの記録層について、情報を記録することによって透過率が低下するか増大するかを示す透過率変化情報であり、
第Ｋの記録層に対して情報の記録を行う際、前記透過率変化情報に応じてレーザー光の強度を変化させる請求項１２に記載の光学式記録再生方法。
【請求項１７】
前記光学式情報記録媒体には、前記補正情報記録部に、前記補正情報にて補正したレーザー光を用いてユーザーデータの記録を行う目標となる記録層を特定する目標記録層情報と、前記目標となる記録層よりもレーザー光入射側に配置された何れかの記録層を特定する記録層特定情報とが、前記補正情報と共に記録されており、かつ、前記第１〜第Ｎの記録層に含まれる情報記録領域のうち少なくとも一つに設けられた記録済記録層情報記録部には、情報記録領域が記録済である記録層を示す記録済記録層情報が記録されており、さらに、前記補正情報には複数の補正係数が含まれており、
第Ｋの記録層に対して情報の記録を行う際、第Ｋの記録層と一致する目標記録層情報を読み出し、読み出された目標記録層情報と共に記録されている記録層特定情報のうち前記記録済記録層情報と一致する記録層特定情報と共に記録されている補正係数を前記複数の補正係数の中から選択し、選択された補正係数を用いてレーザー光の強度を含むパルス条件を決定する請求項１２に記載の光学式記録再生方法。
【請求項１８】
前記記録済記録層情報によって、目標となる記録層よりもレーザー光入射側に配置された各記録層が記録済か否かを判断し、記録済の記録層に応じて補正係数を選択する請求項１７に記載の光学式記録再生方法。
【請求項１９】
前記記録済記録層情報には記録済領域の位置を特定する記録済アドレス情報が含まれており、前記補正係数を選択する際に前記記録済アドレス情報をさらに用いる請求項１７に記載の光学式記録再生方法。
【請求項２０】
レーザー光入射側と反対側から順に配置された第１〜第Ｎの記録層（Ｎは、２以上の整数である。）を含む光学式情報記録媒体に対し、一方面からレーザー光を照射することにより情報の記録及び再生を行う光学式記録再生方法であって、
前記第１〜第Ｎの記録層に対してユーザーデータを記録する順番を予め決めておき、既にユーザーデータが記録されている記録層を特定する記録済記録層情報を前記光学式情報記録媒体の所定の場所に記録し、新たにユーザーデータを記録する前に前記記録済記録層情報を読み出し、前記記録済記録層情報と一致する記録層以降の順番の記録層に対し、予め決められた順番でユーザーデータを記録することを特徴とする光学式記録再生方法。
【請求項２１】
前記記録済記録層情報には、記録済領域の位置を特定する記録済アドレス情報が含まれる請求項２０に記載の光学式記録再生方法。
【請求項２２】
レーザー光入射側と反対側から順に配置された第１〜第Ｎの記録層（Ｎは、２以上の整数である。）を含み、第１〜第Ｎの記録層の少なくとも何れか一つには補正情報記録部が設けられており、前記補正情報記録部には、第２〜第Ｎの記録層における未記録状態と記録状態との間の透過率の変化に基づいてレーザー光強度を補正するための補正情報が記録されている光学式情報記録媒体に対して情報の記録及び再生を行う光学式記録再生装置であって、
前記光学式情報記録媒体に記録されている前記補正情報を格納する補正情報格納部と、
前記補正情報格納部に格納された前記補正情報を用いて、ユーザーデータを記録するパルス条件を決定する制御部と、
前記制御部にて決定されたパルス条件を用いてレーザー光を制御するパルス条件設定部とを含むことを特徴とする光学式記録再生装置。
【請求項２３】
前記光学式情報記録媒体はディスク形状であって、前記第１〜第Ｎの記録層は、少なくともテスト記録を行うためのテスト記録領域と、ユーザーデータを記録するための情報記録領域とを含んでおり、第Ｋの記録層（Ｋは、１≦Ｋ≦Ｎ−１を満たす任意の整数である。）のテスト記録領域は、第Ｋ＋１〜第Ｎの記録層のテスト記録領域及び情報記録領域とは異なる半径位置に配置されており、
前記光学式記録再生装置は、テスト記録された情報の再生信号の品質を判定する信号品質判定部をさらに含み、前記制御部は、前記補正情報及び前記テスト記録の結果を用いて、ユーザーデータを記録するパルス条件を決定する請求項２２に記載の光学式記録再生装置。
【請求項２４】
前記光学式情報記録媒体には、前記補正情報記録部に、前記補正情報にて補正したレーザー光を用いてユーザーデータの記録を行う目標となる記録層を特定する目標記録層情報と、前記目標となる記録層よりもレーザー光入射側に配置された何れかの記録層を特定する記録層特定情報とが、前記補正情報と共に記録されており、かつ、前記第１〜第Ｎの記録層に含まれる情報記録領域のうち少なくとも一つに設けられた記録済記録層情報記録部には、情報記録領域が記録済である記録層を示す記録済記録層情報が記録されており、
前記光学式記録再生装置は、
前記光学式情報記録媒体に記録されている記録済記録層情報を格納する記録済記録層情報格納部をさらに含んでおり、前記制御部は、前記補正情報及び前記記録済記録層情報を用いて、ユーザーデータを記録するパルス条件を決定する請求項２２に記載の光学式記録再生装置。
【請求項２５】
前記補正情報が複数の補正係数を含んでおり、
前記制御部は、第Ｋの記録層（Ｋは、１≦Ｋ≦Ｎ−１を満たす任意の整数である。）に対して情報の記録を行う際、第Ｋの記録層と一致する目標記録層情報を読み出し、読み出された目標記録層情報と共に記録されている記録層特定情報のうち前記記録済記録層情報と一致する記録層特定情報と共に記録されている補正係数を前記複数の補正係数の中から選択し、選択された補正係数を用いて、ユーザーデータを記録するパルス条件を決定する請求項２４に記載の光学式記録再生装置。
【請求項２６】
前記制御部は、前記記録済記録層情報によって、目標となる記録層よりもレーザー光入射側に配置された各記録層が記録済か否かを判断し、記録済の記録層に応じて補正係数を選択する請求項２５に記載の光学式記録再生装置。
【請求項２７】
前記記録済記録層情報には記録済領域の位置を特定する記録済アドレス情報が含まれており、前記制御部は、前記補正係数を選択する際に前記記録済アドレス情報をさらに用いる請求項２５に記載の光学式記録再生装置。
【請求項２８】
前記信号品質判定部は、再生した信号のジッター値を測定して再生信号の品質を評価する請求項２３に記載の光学式記録再生装置。
【請求項２９】
前記パルス条件は、レーザー光強度、パルス長さ及び発生タイミングを含み、記録するマークの長さ及びマーク間隔の少なくとも何れか一方に応じて設定される請求項２２に記載の光学式記録再生装置。
【発明の詳細な説明】
【技術分野】
【０００１】
本発明は、レーザー光等の照射により情報の記録再生が可能な記録層を複数含む光学式情報記録媒体と、そのような光学式情報記録媒体に対して情報の記録再生を行う光学式記録再生方法及び光学式記録再生装置に関するものである。
【背景技術】
【０００２】
大容量で高密度なメモリーとして光学式情報記録媒体がある。その内、情報の書換えが可能な書換え型光学式情報記録媒体の一つとして、基板上にアモルファス状態と結晶状態との間で可逆的に相変化する薄膜を記録層として有する光学式情報記録媒体がある。このような光学式情報記録媒体は、記録層へのレーザー光の照射による熱エネルギーにより記録層が結晶相と非晶質相との間で可逆的に相変化を起こす現象を利用して、情報の記録及び消去を行う。
【０００３】
この記録層用の相変化材料としては、Ｇｅ、Ｓｂ、Ｔｅ及びＩｎのうち少なくとも一つの元素を主成分として含む合金膜、例えばＧｅ−Ｓｂ−Ｔｅ合金膜等が知られている。情報の記録は、記録層を部分的にアモルファス化して記録マークを形成することにより行う。情報の消去は、記録マーク（アモルファス相）を結晶化することによって行う。アモルファス化は、記録層を融点以上に加熱した後に急激に冷却することによって行われる。一方、結晶化は、記録層を結晶化温度以上、融点以下の温度に加熱し、徐冷することによって行われる。
【０００４】
また、基板表面には、記録再生時にレーザー光をトラッキングするスパイラル状または同心円状の案内溝（グルーブ）を予め設けておくのが一般的である。互いに隣接するグルーブとグルーブとの間の領域はランドと呼ばれる。グルーブ及びランドのうち何れか一方のみを情報を記録する情報トラックとし、他方は互いに隣接する情報トラックを分離するためのガードバンドとなっている場合が多い。記録可能型ＣＤ（ＣＤ−Ｒ）やミニディスク（ＭＤ）でもこの方法が用いられている。
【０００５】
光学式情報記録媒体へ情報を記録する方式としては、異なる長さのマークを種々のスペースを設けて形成し、記録マークの長さ及びスペースの長さ（すなわち、記録マークの前端及び後端のエッジ位置）が情報を担うようにしたマークエッジ記録方式がある。
【０００６】
このようなＰＷＭ（Pulse Width Modulation）記録方式では、記録時に、レーザー光強度やパルス発生タイミング等のパルス条件が不適切である場合、記録マーク前部で発生した熱が後部での昇温を助長して前部が細く後部が太い歪んだマーク形状となったり、記録マーク形成時に発生する熱が隣接する記録マークの形成に影響を与えてマークのエッジ位置が変動したりする等して、信号品質が低下するという問題が生じる。
【０００７】
そこで、このような問題を解決するために、最適なパルス条件を求めることが重要となる。最適なパルス条件は、光学式情報記録媒体及び光学式記録再生装置の特性に大きく依存する。従って、記録時に、光学式記録再生装置に光学式情報記録媒体を装着して起動する際、その都度、最適なパルス条件を求める学習動作が必要となる。学習動作とは、パルス条件を変化させながらテスト記録を行い、テスト記録にて記録された情報の再生信号の品質を測定し、その測定結果を所定の条件と比較することによって、最適な記録再生条件を求めるものである。
【０００８】
従来の光学式情報記録媒体の一例を図８に示す。図８に示すように、ディスク形状の光学式情報記録媒体８１には、中央に、光学式記録再生装置に装着するための中心孔８２が設けられている。光学式情報記録媒体８１は、ポリカーボネートからなる厚さ１．１ｍｍの透明基板上に記録層を設け、さらに厚さ０．１ｍｍの保護層を設けることにより形成されている。この保護層側からレーザー光を照射し、保護層を透過したレーザー光が記録層に照射されることにより、情報の記録再生が行われる。透明基板には、記録再生時にレーザー光をトラッキングするトラック８６が設けられている。また、光学式情報記録媒体８１は、エンボスピット等によって媒体の識別情報等を記録した再生専用のリードイン領域８３、最適なパルス条件を求める学習動作を行うためのテスト記録領域８４、ユーザーデータを記録する情報記録領域８５を有している。
【０００９】
また、最近では、各種情報機器の処理能力の向上に伴い、扱われる情報量が大きくなっている。そのために、より大容量で、かつ、高速での記録再生が可能な光学式情報記録媒体が求められている。大容量化の手段として、例えば、複数の記録層が積層され、片側の面からそれぞれの記録層に対して情報を記録再生できる多層記録媒体が提案されている。このような多層記録媒体では、記録時の最適なレーザー光強度等の記録再生特性が記録層毎に異なる。したがって、従来の光学式情報記録再生装置は、光学式情報記録媒体に含まれる記録層毎に学習動作を行っている（例えば下記特許文献１参照。）。
【特許文献１】特開平１１−３５５０号公報
【発明の開示】
【発明が解決しようとする課題】
【００１０】
多層記録媒体では、レーザー光入射側から見て最も手前に配置された記録層以外の記録層への記録再生は、それより手前に配置されている記録層を透過したレーザー光によって行われる。記録層の透過率はアモルファス状態か結晶状態かによって異なるため、各記録層におけるレーザー光の透過率は情報記録の有無によって異なる。
【００１１】
以上の理由から、目的の（情報を記録再生する対象の）記録層に到達するレーザー光の強度は、その記録層より手前に配置された他の記録層の記録状態によって異なる。従って、従来の方法による学習動作によって求めたパルス条件で記録再生を行なった場合、ユーザーデータが正しく記録再生できないという問題が生じていた。
【００１２】
また、学習動作においても、テスト記録の際に実際に学習動作を行う目的の記録層に到達するレーザー光の強度は、手前の記録層の記録状態によって異なるため、正しいパルス条件が得られないという問題があった。
【課題を解決するための手段】
【００１３】
本発明の光学式情報記録媒体は、レーザー光入射側と反対側から順に配置された第１〜第Ｎの記録層（Ｎは、２以上の整数である。）を含み、一方面から入射されたレーザー光が前記第１〜第Ｎの記録層のうち何れか一つの記録層に照射されることにより情報の記録及び再生が行われる光学式情報記録媒体であって、第１〜第Ｎの記録層の少なくとも何れか一つには補正情報記録部が設けられており、前記補正情報記録部には、第２〜第Ｎの記録層における未記録状態と記録状態との間の透過率の変化に基づいてレーザー光強度を補正するための補正情報が記録されていることを特徴としている。
【００１４】
本発明の第１の光学式記録再生方法は、レーザー光入射側と反対側から順に配置された第１〜第Ｎの記録層（Ｎは、２以上の整数である。）を含み、第１〜第Ｎの記録層の少なくとも何れか一つには補正情報記録部が設けられており、前記補正情報記録部には、第２〜第Ｎの記録層における未記録状態と記録状態との間の透過率の変化に基づいてレーザー光強度を補正するための補正情報が記録されている光学式情報記録媒体に対して情報の記録及び再生を行う光学式記録再生方法であって、第Ｋの記録層（Ｋは、１≦Ｋ≦Ｎ−１を満たす任意の整数である。）に対して情報の記録再生を行う際、前記補正情報を用いてレーザー光の強度を含むパルス条件を決定することを特徴としている。
【００１５】
本発明の第２の光学式記録再生方法は、レーザー光入射側と反対側から順に配置された第１〜第Ｎの記録層（Ｎは、２以上の整数である。）を含む光学式情報記録媒体に対し、一方面からレーザー光を照射することにより情報の記録及び再生を行う光学式記録再生方法であって、前記第１〜第Ｎの記録層に対してユーザーデータを記録する順番を予め決めておき、既にユーザーデータが記録されている記録層を特定する記録済記録層情報を前記光学式情報記録媒体の所定の場所に記録し、新たにユーザーデータを記録する前に前記記録済記録層情報を読み出し、前記記録済記録層情報と一致する記録層以降の順番の記録層に対し、予め決められた順番でユーザーデータを記録することを特徴としている。
【００１６】
本発明の光学式記録再生装置は、レーザー光入射側と反対側から順に配置された第１〜第Ｎの記録層（Ｎは、２以上の整数である。）を含み、第１〜第Ｎの記録層の少なくとも何れか一つには補正情報記録部が設けられており、前記補正情報記録部には、第２〜第Ｎの記録層における未記録状態と記録状態との間の透過率の変化に基づいてレーザー光強度を補正するための補正情報が記録されている光学式情報記録媒体に対して情報の記録及び再生を行う光学式記録再生装置であって、前記光学式情報記録媒体に記録されている前記補正情報を格納する補正情報格納部と、前記補正情報格納部に格納された前記補正情報を用いて、ユーザーデータを記録するパルス条件を決定する制御部と、前記制御部にて決定されたパルス条件を用いてレーザー光を制御するパルス条件設定部と、を含むことを特徴としている。
【発明の効果】
【００１７】
本発明の光学式情報記録媒体、光学式記録再生方法及び光学式記録再生装置によれば、各記録層における情報の記録状態に関わらず、学習動作によって正しいパルス条件を求めることができると共に、ユーザーデータを正しく記録することが可能となる。
【発明を実施するための最良の形態】
【００１８】
本発明の光学式情報記録媒体によれば、補正情報を用いることにより、各記録層の記録状態に関わらずユーザーデータを正しく記録できる。
【００１９】
本発明の光学式情報記録媒体においては、前記第１〜第Ｎの記録層の少なくとも何れか一つは再生専用のリードイン領域を含んでおり、前記補正情報記録部が前記リードイン領域に設けられていてもよい。
【００２０】
本発明の光学式情報記録媒体がディスク形状の場合、本発明の光学式情報記録媒体においては、前記第１〜第Ｎの記録層は、少なくともテスト記録を行うためのテスト記録領域と、ユーザーデータを記録するための情報記録領域とを含んでおり、第Ｋの記録層（Ｋは、１≦Ｋ≦Ｎ−１を満たす任意の整数である。）のテスト記録領域は、前記第Ｋ＋１〜第Ｎの記録層のテスト記録領域及び情報記録領域とは異なる半径位置に配置されていることが好ましい。各記録層の記録状態に関わらず、テスト記録によって正しいパルス条件を求めることができるからである。また、この場合、前記第１〜第Ｎの記録層にレーザー光をトラッキングするための案内溝が設けられ、前記第Ｋ＋１〜第Ｎの記録層において、前記第Ｋの記録層のテスト記録領域が配置されている半径位置には、情報記録領域の案内溝と実質的に同じ形状の案内溝が設けられていてもよい。テスト記録の際、レーザー光が案内溝によって回折することによる影響が情報記録領域と同等となるので、テスト記録領域で求めたパルス条件と情報記録領域での最適条件とをより正確に一致させることができるからである。
【００２１】
本発明の光学式情報記録媒体においては、前記補正情報が、前記第２〜第Ｎの記録層における未記録状態の透過率Ｔ１と記録状態の透過率Ｔ２とから求められる補正係数であってもよい。また、前記補正情報が補正係数であり、前記補正係数は、第Ｋの記録層（Ｋは、１≦Ｋ≦Ｎ−１を満たす任意の整数である。）よりもレーザー光入射側に配置された第Ｋ＋１〜第Ｎの記録層の少なくとも何れか一つが未記録状態の場合に、前記補正係数にて補正された補正レーザー光を用いて第Ｋの記録層に記録された情報の再生信号の品質が所定の基準を満たすように設定されていてもよい。また、前記補正情報が、前記第２〜第Ｎの記録層について、情報を記録することによって透過率が低下するか増大するかを示す透過率変化情報であってもよい。
【００２２】
本発明の光学式情報記録媒体においては、前記補正情報にて補正したレーザー光を用いてユーザーデータの記録を行う目標となる記録層を特定する目標記録層情報が、前記補正情報と共に前記補正情報記録部に記録されていてもよい。さらに、前記目標となる記録層よりもレーザー光入射側に配置された何れかの記録層を特定する記録層特定情報が、前記補正情報及び目標記録層情報と共に前記補正情報記録部に記録されていてもよい。
【００２３】
本発明の光学式情報記録媒体においては、前記第１〜第Ｎの記録層は、ユーザーデータを記録するための情報記録領域を含んでおり、前記第１〜第Ｎの記録層に含まれる情報記録領域のうち少なくとも一つは、前記情報記録領域が記録済である記録層を示す記録済記録層情報が記録される記録済記録層情報記録部を含んでいてもよい。さらに、前記記録済記録層情報には、記録済領域の位置を特定する記録済アドレス情報が含まれていてもよい。これによれば、各記録層の記録状態に応じたレーザー光強度の変更も可能となる。
【００２４】
本発明の第１の光学式記録再生方法によれば、本発明の光学式情報記録媒体に対し、各記録層の記録状態に関わらずユーザーデータを正しく記録できる。
【００２５】
本発明の第１の光学式記録再生方法においては、前記光学式情報記録媒体がディスク形状であって、前記第１〜第Ｎの記録層は、少なくともテスト記録を行うためのテスト記録領域と、ユーザーデータを記録するための情報記録領域とを含んでおり、第Ｋの記録層のテスト記録領域は、第Ｋ＋１〜第Ｎの記録層のテスト記録領域及び情報記録領域とは異なる半径位置に配置されており、第Ｋの記録層に対して情報の記録を行う際、第Ｋの記録層のテスト記録領域でテスト記録を行い、前記テスト記録の結果と前記補正情報とを用いてレーザー光の強度を含むパルス条件を決定することが好ましい。各記録層の記録状態に関わらず、テスト記録によって正しいパルス条件を求めることができるからである。
【００２６】
本発明の第１の光学式記録再生方法においては、前記補正情報が補正係数であり、前記補正係数が、第Ｋの記録層よりもレーザー光入射側に配置された第Ｋ＋１〜第Ｎの記録層の少なくとも何れか一つが未記録状態の場合に、前記補正係数にて補正された補正レーザー光を用いて第Ｋの記録層に記録された情報の再生信号の品質が所定の基準を満たすように設定されており、第Ｋの記録層に対して情報の記録を行う際、前記補正係数を用いてレーザー光の強度を含むパルス条件を決定してもよい。なお、前記再生信号の品質は、前記再生信号のジッター値を測定することにより評価可能である。また、前記補正情報が、前記第２〜第Ｎの記録層について、情報を記録することによって透過率が低下するか増大するかを示す透過率変化情報であり、第Ｋの記録層に対して情報の記録を行う際、前記透過率変化情報に応じてレーザー光の強度を変化させてもよい。
【００２７】
また、本発明の第１の光学式記録再生方法においては、前記光学式情報記録媒体には、前記補正情報記録部に、前記補正情報にて補正したレーザー光を用いてユーザーデータの記録を行う目標となる記録層を特定する目標記録層情報と、前記目標となる記録層よりもレーザー光入射側に配置された何れかの記録層を特定する記録層特定情報とが、前記補正情報と共に記録されており、かつ、前記第１〜第Ｎの記録層に含まれる情報記録領域のうち少なくとも一つに設けられた記録済記録層情報記録部には、情報記録領域が記録済である記録層を示す記録済記録層情報が記録されており、さらに、前記補正情報には複数の補正係数が含まれており、第Ｋの記録層に対して情報の記録を行う際、第Ｋの記録層と一致する目標記録層情報を読み出し、読み出された目標記録層情報と共に記録されている記録層特定情報のうち前記記録済記録層情報と一致する記録層特定情報と共に記録されている補正係数を前記複数の補正係数の中から選択し、選択された補正係数を用いてレーザー光の強度を含むパルス条件を決定してもよい。具体的には、例えば、前記記録済記録層情報によって、目標となる記録層よりもレーザー光入射側に配置された各記録層が記録済か否かを判断し、記録済の記録層に応じて補正係数を選択する。さらに、前記記録済記録層情報には記録済領域の位置を特定する記録済アドレス情報が含まれており、前記補正係数を選択する際に前記記録済アドレス情報をさらに用いてもよい。これによれば、各記録層の記録状態に応じたレーザー光強度の変更も可能となる。
【００２８】
本発明の第２の光学式記録再生方法によれば、追記型の光学式情報記録媒体に対し、正しいユーザーデータの記録が容易に行なえる。また、この場合、記録済記録層情報が、記録済領域の位置を特定する記録済アドレス情報を含んでいてもよい。
【００２９】
本発明の光学式記録再生装置によれば、本発明の光学式情報記録媒体に対し、各記録層の記録状態に関わらずユーザーデータを正しく記録できる。
【００３０】
本発明の光学式記録再生装置においては、前記光学式情報記録媒体はディスク形状であって、前記第１〜第Ｎの記録層は、少なくともテスト記録を行うためのテスト記録領域と、ユーザーデータを記録するための情報記録領域とを含んでおり、第Ｋの記録層（Ｋは、１≦Ｋ≦Ｎ−１を満たす任意の整数である。）のテスト記録領域は、第Ｋ＋１〜第Ｎの記録層のテスト記録領域及び情報記録領域とは異なる半径位置に配置されており、前記光学式記録再生装置は、テスト記録された情報の再生信号の品質を判定する信号品質判定部をさらに含み、前記制御部は、前記補正情報及び前記テスト記録の結果を用いて、ユーザーデータを記録するパルス条件を決定することが好ましい。各記録層の記録状態に関わらず、テスト記録によって正しいパルス条件を求めることができるからである。
【００３１】
本発明の光学式記録再生装置においては、前記光学式情報記録媒体には、前記補正情報記録部に、前記補正情報にて補正したレーザー光を用いてユーザーデータの記録を行う目標となる記録層を特定する目標記録層情報と、前記目標となる記録層よりもレーザー光入射側に配置された何れかの記録層を特定する記録層特定情報とが、前記補正情報と共に記録されており、かつ、前記第１〜第Ｎの記録層に含まれる情報記録領域のうち少なくとも一つに設けられた記録済記録層情報記録部には、情報記録領域が記録済である記録層を示す記録済記録層情報が記録されており、前記光学式記録再生装置は、前記光学式情報記録媒体に記録されている記録済記録層情報を格納する記録済記録層情報格納部をさらに含んでおり、前記制御部は、前記補正情報及び前記記録済記録層情報を用いて、ユーザーデータを記録するパルス条件を決定してもよい。例えば、前記補正情報が複数の補正係数を含んでおり、前記制御部は、第Ｋの記録層（Ｋは、１≦Ｋ≦Ｎ−１を満たす任意の整数である。）に対して情報の記録を行う際、第Ｋの記録層と一致する目標記録層情報を読み出し、読み出された目標記録層情報と共に記録されている記録層特定情報のうち前記記録済記録層情報と一致する記録層特定情報と共に記録されている補正係数を前記複数の補正係数の中から選択し、選択された補正係数を用いて、ユーザーデータを記録するパルス条件を決定してもよい。具体的には、例えば、前記制御部が、前記記録済記録層情報によって、目標となる記録層よりもレーザー光入射側に配置された各記録層が記録済か否かを判断し、記録済の記録層に応じて補正係数を選択する。
【００３２】
本発明の光学式記録再生装置においては、前記記録済記録層情報には記録済領域の位置を特定する記録済アドレス情報が含まれており、前記制御部は、前記補正係数を選択する際に前記記録済アドレス情報をさらに用いてもよい。
【００３３】
本発明の光学式記録再生装置においては、前記信号品質判定部は、再生した信号のジッター値を測定して再生信号の品質を評価してもよい。
【００３４】
本発明の光学式記録再生装置においては、前記パルス条件は、レーザー光強度、パルス長さ及び発生タイミングを含み、記録するマークの長さ及びマーク間隔の少なくとも何れか一方に応じて設定されるものであってもよい。
【００３５】
以下、本発明の実施の形態を、図面を参照しながら説明する。
【００３６】
（実施の形態１）
本発明の光学式情報記録媒体の一実施形態について説明する。
【００３７】
図１は、本実施の形態の光学式情報記録媒体１の構成を示す断面図である。光学式情報記録媒体１はディスク形状であり、ポリカーボネートからなる厚さ約１．１ｍｍの基板６上に、厚さ約２００ｎｍの第１の記録層５、厚さ約０．０３ｍｍの透明分離層４、厚さ約１００ｎｍの第２の記録層３及び保護層２を順に設けたものである。第１の記録層５及び第２の記録層３には、例えば、記録再生時にレーザー光をトラッキングする深さ約２０ｎｍ、幅約０．２μｍの情報トラック（図示せず）が設けられている。
【００３８】
光学式情報記録媒体１において、レーザー光は、保護層２側の面から照射される。
【００３９】
第２の記録層３は、例えば、半径約２２ｍｍから２３ｍｍの位置に設けられ、情報トラックをウォブリングすることによって媒体の識別情報等を記録した再生専用のリードイン領域１０１と、半径約２４ｍｍから２５ｍｍの位置に設けられ、最適なパルス条件を求める学習動作を行うためのテスト記録領域１０２と、半径約２５ｍｍから５８ｍｍの位置に設けられ、ユーザーデータを記録する情報記録領域１０３とを有している。また、第１の記録層５は、例えば、情報トラックをウォブリングすることによって媒体の識別情報等を記録した半径約２２ｍｍから２３ｍｍの位置に設けられた再生専用のリードイン領域１０４と、半径約２３ｍｍから２４ｍｍの位置に設けられ、最適なパルス条件を求める学習動作を行うためのテスト記録領域１０５と、半径約２４ｍｍから５８ｍｍの位置に設けられ、ユーザーデータを記録する情報記録領域１０６とを有している。このように、第１の記録層５のテスト記録領域１０５と第２の記録層３のテスト記録領域１０２とは、互いに異なる半径位置（重なり合わないように）に設けられている。
【００４０】
光学式情報記録媒体１のさらに詳細な構造を図２に示す。図２に示すように、第２の記録層３は、例えば、誘電体材料からなる保護膜２０１、Ｇｅ−Ｓｂ−Ｔｅ薄膜からなる相変化膜２０２及び誘電体材料からなる保護膜２０３の多層薄膜で構成されている。本実施の形態では、第２の記録層３は、情報の記録により相変化膜２０２が部分的に結晶状態からアモルファス状態に変化することによって透過率が低下する材料にて形成されているものとする。
【００４１】
第１の記録層５は、例えば、誘電体材料からなる保護膜２０４、Ｇｅ−Ｓｂ−Ｔｅ薄膜からなる相変化膜２０５、誘電体材料からなる保護膜２０６及び金属材料からなる反射膜２０７の多層薄膜で構成されている。
【００４２】
第１の記録層５のリードイン領域１０４（図１参照。）には、レーザー光強度を補正するための補正情報が記録されている。さらに、リードイン領域１０４には、補正情報と共に、この補正情報にて補正したレーザー光を用いてユーザーデータの記録を行う目標となる記録層を特定する目標記録層情報も記録されている。この補正情報とは、例えば、情報の記録による第２の記録層３の透過率の低下に基づくレーザー光強度の低下を補正するための補正係数αである。リードイン領域１０４には、このように補正情報を記録するための補正情報記録部（図示せず。）が設けられている。補正係数αの一例としては、例えば、未記録状態の第２の記録層３の透過率をＴ１、記録状態の第２の記録層３の透過率をＴ２としたときに、次の関係式で与えられる値が挙げられる。
【００４３】
α＝Ｔ１／Ｔ２
光学式情報記録媒体１に対して情報の記録再生を行う場合、光学式記録再生装置において、起動時に、まず、第１の記録層５のリードイン領域１０４に記録されている補正係数αを読み出す。
【００４４】
次に、第１の記録層５及び第２の記録層３それぞれについて、最適なパルス条件を求める学習動作を行う。具体的には、第１の記録層５及び第２の記録層３のテスト記録領域１０５及び１０２において、レーザー光強度やパルス長さ、発生タイミング等のパルス条件を変化させながらテスト記録を行い、テスト記録にて記録された記録マークを再生した信号の品質を測定した結果から、最適なパルス条件を求める。
【００４５】
第２の記録層３の情報記録領域１０３にユーザーデータを記録する場合には、テスト記録領域１０２で求めたパルス条件のレーザー光を用いる。また、第１の記録層５の情報記録領域１０６にユーザーデータを記録する場合には、テスト記録領域１０５で求めたパルス条件の最適レーザー光強度を補正係数αで補正した強度のレーザー光を用いる。例えば、テスト記録領域１０５で求めたパルス条件の最適レーザー光強度がＰ１のとき、情報記録領域１０６にユーザーデータを記録するときのレーザー光強度をＰ１×αとする。
【００４６】
なお、補正係数αは、α＝Ｔ１／Ｔ２で与えられる値に限定されるものではない。例えば、第２の記録層３が未記録状態（透過率が高い状態）の場合に、最適レーザー光強度を補正係数αで補正した強度の補正レーザー光を用いて第１の記録層５に情報を記録した際、記録された情報の再生信号の品質が所定の基準を満たす範囲となるように補正係数αを定めることもできる。例えば、テスト記録時のレーザー光の強度と再生した信号のジッター値（基準となるクロックに対する再生された信号位置の変動量）との関係が図３に示すようである場合、ジッター値が最小となる最適レーザー光強度をＰ１、ジッター値が所定の基準値Ｊ１以下となる最大レーザー光強度をＰ２とすると、補正係数αを、
Ｐ１＜Ｐ１×α＜Ｐ２
を満たすように定めることもできる。
【００４７】
例えば、補正係数αとしてＴ１／Ｔ２を用いた場合に、補正係数αで補正した補正レーザー光の強度が図３に示す最大レーザー光強度Ｐ２を超えてしまう時は、レーザー光強度が最大レーザー光強度Ｐ２の近傍となるようなパルス条件を補正情報として記録されることが好ましい。すなわち、実際の学習動作によって得られたレーザー光強度と再生した信号のジッター値との関係が、図４に示すように、補正係数αで補正したレーザー強度（Ｐ１×α）がＰ２よりも大きい時には、補正情報として記録されるのは最大レーザー光強度Ｐ２近傍の値であることが好ましく、Ｐ２を超えない範囲でＰ２にできるだけ近い値を補正情報として設定することがより好ましい。
【００４８】
また、本実施の形態の光学式情報記録媒体１では、第１の記録層５のテスト記録領域１０５に対応する半径位置においては、第２の記録層３は、記録が行なわれない領域を有している。したがって、テスト記録領域１０５と同じ半径位置において、より手前に位置する第２の記録層３では記録が行なわれないので、レーザー光の透過率が常に一定である。これにより、第１の記録層５のテスト記録領域１０５における学習動作では、第２の記録層３の記録状態と未記録状態との間での透過率差の影響を受けることなく、常に一定のパルス条件が得られる。
【００４９】
一方、第２の記録層３は第１の記録層５よりもレーザー光照射側に配置されているため、第１の記録層５の記録状態の影響を受けない。したがって、記録層３のテスト記録領域１０２における学習動作では常に一定のパルス条件が得られる。
【００５０】
また、第１の記録層５の情報記録領域１０６にユーザーデータを記録する際、補正係数αを用いてレーザー光強度を補正することで、第２の記録層３が記録状態であることによる第１の記録層５の記録感度低下を補償して、ユーザーデータを正しく記録することが可能となる。また、第２の記録層３が未記録状態の場合に補正レーザー光を用いて第１の記録層５に情報を記録した際、記録された情報の再生信号の品質が所定の基準を満たす範囲となるように補正係数αを設定しておけば、第２の記録層３の記録の有無に関わらず、より良好な情報の記録再生が可能となる。
【００５１】
なお、本実施の形態においてはリードイン領域が第１の記録層５及び第２の記録層３に設けられているが、第１の記録層５及び第２の記録層３の少なくとも何れか一方に設けられていれば良い。また、リードイン領域に記録される情報は、エンボスピットによるものでも良い。
【００５２】
また、学習動作の方法は上記した方法に限定されず、記録再生条件を変化させながらテスト記録を行い、テスト記録で記録された情報を再生した信号の品質を随時測定し、その測定結果を所定の条件と比較し、測定結果が所定の条件を満たしたときに、その時点でのパルス条件を最適なパルス条件とする簡易的な方法を用いても良い。
【００５３】
また、本実施の形態では、情報の記録によって第２の記録層３の透過率が低下する場合について述べたが、情報の記録によって第２の記録層３の透過率が増大する場合にも同様の効果が得られる。ただし、このときは、補正した条件におけるレーザー光強度が、学習動作において再生した信号の品質が一定の条件を満たすレーザー光強度の下限値（最小レーザー光強度）よりも小さい場合、レーザー光強度を最小レーザー光強度の近傍としたパルス条件でユーザーデータを記録することが好ましい。このように補正された強度のレーザー光を用いることにより、第２の記録層３の記録の有無に関わらず、信号品質の低下を抑制した良好な情報の記録再生が可能となる。
【００５４】
さらに、補正係数αの代わりに、第２の記録層３に情報を記録することによって透過率が低下するか増大するかを示す透過率変化情報を補正情報として媒体上に記録しておいても良い。補正情報をこのように設定すれば、透過率変化情報を読み出すことによって、第２の記録層３に情報を記録した場合に透過率が低下するか増大するかを判別することができる。この透過率変化情報に基づいて、第２の記録層３の透過率が情報の記録により低下する場合は、レーザー光の強度を、第１の記録層５においてテスト記録した信号の品質が予め定められた基準を満足する最大値近傍に設定したパルス条件でユーザーデータを記録し、透過率が情報の記録により増大する場合は、レーザー光の強度を、第１の記録層５においてテスト記録した信号の品質が予め定められた基準を満足する最小値近傍に設定したパルス条件でユーザーデータを記録する。これにより、第１の記録層５の情報記録領域１０６にユーザーデータを記録する際、第２の記録層３が記録状態であることによる第１の記録層５の記録感度低下を抑制して、ユーザーデータを正しく記録することができる。
【００５５】
なお、本実施の形態においては、記録層が２層設けられた光学式情報記録媒体について説明したが、本実施の形態で説明した光学式情報記録媒体の構成、補正情報及び光学式記録再生方法については、記録層が３層以上設けられた光学式情報記録媒体についても適用可能である。
【００５６】
（実施の形態２）
本発明の光学式情報記録媒体の別の一実施形態について説明する。
【００５７】
図５は、本実施の形態の光学式情報記録媒体１１の構成を示す断面図である。光学式情報記録媒体１１はディスク形状であり、ポリカーボネートからなる厚さ約１．１ｍｍの基板１８上に、厚さ約２００ｎｍの第１の記録層１７、厚さ約０．０２ｍｍの透明分離層１６、厚さ約１００ｎｍの第２の記録層１５、厚さ約０．０２ｍｍの透明分離層１４、厚さ約１００ｎｍの第３の記録層１３及び保護層１２を順に設けたものである。第１〜第３の記録層１７，１５，１３には、例えば、記録再生時にレーザー光をトラッキングする深さ約２０ｎｍ、幅約０．２μｍの情報トラック（図示せず）が設けられている。
【００５８】
光学式情報記録媒体１１において、レーザー光は、保護層１２側の面から照射される。
【００５９】
第３の記録層１３は、例えば、半径約２２ｍｍから２３ｍｍの位置に設けられ、情報トラックをウォブリングすることによって媒体の識別情報等を記録した再生専用のリードイン領域１１１と、半径約２５ｍｍから２６ｍｍの位置に設けられ、最適なパルス条件を求める学習動作を行うためのテスト記録領域１１２と、半径約２６ｍｍから５８ｍｍの位置に設けられ、ユーザーデータを記録する情報記録領域１１３とを有している。
【００６０】
第２の記録層１５は、例えば、半径約２２ｍｍから２３ｍｍの位置に設けられ、情報トラックをウォブリングすることによって媒体の識別情報等を記録した再生専用のリードイン領域１１４と、半径約２４ｍｍから２５ｍｍの位置に設けられ、最適なパルス条件を求める学習動作を行うためのテスト記録領域１１５と、半径約２５ｍｍから５８ｍｍの位置に設けられ、ユーザーデータを記録する情報記録領域１１６とを有している。
【００６１】
第１の記録層１７は、例えば、半径約２２ｍｍから２３ｍｍの位置に設けられ、情報トラックをウォブリングすることによって媒体の識別情報等を記録した再生専用のリードイン領域１１７と、半径約２３ｍｍから２４ｍｍの位置に設けられ、最適なパルス条件を求める学習動作を行うためのテスト記録領域１１８と、半径約２４ｍｍから５８ｍｍの位置に設けられ、ユーザーデータを記録する情報記録領域１１９とを有している。
【００６２】
第３の記録層１３及び第２の記録層１５は、実施の形態１で説明した光学式情報記録媒体１の第２の記録層３と同様の多層薄膜（図２参照。）で構成されており、本実施の形態においては情報の記録により透過率が低下するものとする。記録層１７は、実施の形態１で説明した光学式情報記録媒体１の第１の記録層５と同様の多層薄膜（図２参照。）で構成されている。
【００６３】
第１の記録層１７のリードイン領域１１７には、レーザー光強度を補正するための補正情報が記録されている。さらに、リードイン領域１１７には、補正情報と共に、この補正情報にて補正したレーザー光を用いてユーザーデータの記録を行う目標となる記録層を特定する目標記録層情報も記録されている。本実施の形態においては、補正情報として、例えば、第２の記録層１５に情報を記録したときの第２の記録層１５の透過率の低下に基づいてレーザー光強度を補正するための補正係数α１、第３の記録層１３に情報を記録したときの第３の記録層１３の透過率の低下に基づいてレーザー光強度を補正するための補正係数α２、第２の記録層１５及び第３の記録層１３の両方に情報を記録したときの第２の記録層１５及び第３の記録層１３の透過率の低下に基づいてレーザー光強度を補正するための補正係数α３が記録されている。補正係数α１及びα２は、それぞれ、第２の記録層１５及び第３の記録層１３を示す記録層特定情報と共に記録され、補正係数α３は、第３の記録層１３及び第２の記録層１５の両方の記録層を示す記録層特定情報と共に記録されている。
【００６４】
光学式情報記録媒体１１にユーザーデータを記録した場合には、情報記録領域の全面にわたって記録済の記録層の番号を示す記録済記録層情報を、例えば第１の記録層１７における情報記録領域１１９の所定の場所（記録済記録層情報記録部）に記録する。例えば、記録済記録層情報をβとすると、第１の記録層１７のみ記録済みであればβ＝１００とし、第１の記録層１７と第２の記録層１５とが記録済みであればβ＝１１０とし、第２の記録層１５のみ記録済みであればβ＝０１０とし、第３の記録層１３のみ記録済みであればβ＝００１とし、第２の記録層１５と第３の記録層１３が記録済みであればβ＝０１１とし、全ての記録層１７，１５，１３が記録済みであればβ＝１１１とする。
【００６５】
そして、再度光学式情報記録媒体１１に情報を記録する際には、光学式記録再生装置において、起動時に、第１の記録層１７のリードイン領域１１７に記録されている補正係数α１、α２及びα３を読み出すと共に、第１の記録層１７の情報記録領域１１９に記録されている記録済記録層情報を読み出す。
【００６６】
また、第１〜第３の記録層１７，１５，１３のテスト記録領域１１８，１１５，１１２それぞれについて、パルス条件を変化させながらテスト記録を行い、テスト記録で記録された信号の品質を測定した結果から最適なパルス条件を求める学習動作を行う。
【００６７】
第３の記録層１３の情報記録領域１１３にユーザーデータを記録する場合には、テスト記録領域１１２に対するテスト記録で求めたパルス条件で記録する。
【００６８】
第２の記録層１５の情報記録領域１１６にユーザーデータを記録する場合には、記録済記録層情報から第３の記録層１３が記録済かどうかを判断し、第３の記録層１３が未記録の場合にはテスト記録領域１１５に対する学習動作で求めたパルス条件で記録し、第３の記録層１３が記録済みの場合にはテスト記録領域１１５に対する学習動作で求めたパルス条件のレーザー光強度を補正係数α２で補正した補正レーザー光を用いて記録する。
【００６９】
また、第１の記録層１７の情報記録領域１１９にユーザーデータを記録する場合には、記録済記録層情報から第３の記録層１３及び第２の記録層１５が記録済かどうかを判断し、第３の記録層１３及び第２の記録１５が共に未記録の場合には、テスト記録領域１１８に対する学習動作で求めたパルス条件で記録する。第３の記録層１３のみが記録済みの場合には、テスト記録領域１１８に対する学習動作で求めたパルス条件のレーザー光強度を補正係数α２で補正した補正レーザー光を用いて記録する。第２の記録層１５のみが記録済みの場合には、テスト記録領域１１８に対する学習動作で求めたパルス条件のレーザー光強度を補正係数α１で補正した補正レーザー光で記録する。第１の記録層１３及び第２の記録層１５が共に記録済みの場合には、テスト記録領域１１８に対する学習動作で求めたパルス条件のレーザー光強度を補正係数α３で補正した補正レーザー光で記録する。
【００７０】
本実施の形態の光学式情報記録媒体１１では、第２の記録層１５のテスト記録領域１１５に対応する半径位置において、第３の記録層１３は、記録が行なわれない領域を有している。また、第１の記録層１７のテスト記録領域１１８に対応する半径位置において、第２の記録層１５及び第３の記録層１３は、記録が行なわれない領域を有している。このように、テスト記録領域１１５，１１８に対応する半径位置において、より手前の記録層には情報が記録されない。したがって、テスト記録領域１１５，１１８における学習動作では、よりレーザー光入射側に位置する記録層の記録状態と未記録状態との間での透過率差の影響を受けることがないため、常に一定のパルス条件が得られる。
【００７１】
第２の記録層１５及び第１の記録層１７の情報記録領域１１６，１１９にユーザーデータを記録する際に、補正係数α１、α２及びα３の中から記録済記録層情報に対応した補正係数を選択し、第３の記録層１３及び第２の記録層１５への情報記録にともなう第２の記録層１５及び第１の記録層１７の記録感度低下を補償することで、ユーザーデータを正しく記録することが可能となる。
【００７２】
なお、本実施の形態における補正係数α１、α２及びα３は、実施の形態１で説明した補正係数αと同様に設定することができる。
【００７３】
また、本実施の形態においては全ての記録層１３，１５，１７にリードイン領域が設けられているが、少なくとも何れか１つの記録層に設けられていればよい。また、リードイン領域の情報はエンボスピットによるものでもよい。
【００７４】
さらに、本実施の形態では記録層を３層としたが、２層または４層以上の場合であっても同様の効果が得られる。
【００７５】
（実施の形態３）
本発明の光学式記録再生装置の一実施形態について説明する。
【００７６】
図６は、本実施の形態の光学式記録再生装置の構成を示すブロック図であり、図５に示した複数の記録層を有する光学式情報記録媒体１１を装着した状態を示している。
【００７７】
図６に示した光学式記録再生装置は、光学式情報記録媒体を１１装着して回転させるスピンドルモーター６０２と、コントローラー（制御部）６０３と、記録するデータを記録信号に変換する変調器６０４と、変調器６０４からの記録信号に従って半導体レーザーを駆動するレーザー駆動回路６０５と、半導体レーザーを有し、レーザー光を光学式情報記録媒体１１に集光して情報の記録を行うと共に、反射光から再生信号を得る光学ヘッド６０１と、再生信号を増幅し、情報再生信号６０６Ｓ、フォーカスエラー信号６０６Ｆ及びトラッキングエラー信号６０６Ｔを生成するプリアンプ６０６と、情報再生信号６０６Ｓを２値化信号に変換する２値化回路６０７と、２値化信号からデータを復調するデータ復調回路６０８と、光学式情報記録媒体１１のテスト記録領域において特定のデータを試験的に記録再生した信号の品質を判定する信号品質判定回路（信号品質判定部）６０９と、学習動作によって得られた最適な記録条件を格納する記録条件格納回路６１２と、光学式情報記録媒体１１から読み出した、レーザー光強度を補正するための補正係数α１、α２及びα３を格納する補正係数格納回路（補正情報格納部）６１０と、光学式情報記録媒体１１から読み出した記録済記録層情報を格納する記録済記録層情報格納回路（記録済記録層格納部）６１１と、最適な記録条件、記録済記録層情報及び補正係数α１、α２及びα３に従ってレーザー光強度を制御するパルス条件設定回路（パルス条件設定部）６１３と、レーザー光の焦点を光学式情報記録媒体１１の目的とする記録層に合わせるように、フォーカスエラー信号６０６Ｆに基づいて光学ヘッド６０１を制御するフォーカス制御回路６１４と、レーザー光が光学式情報記録媒体１１のトラックを適切に走査するようにトラッキングエラー信号６０６Ｔに基づいて光学ヘッド６０１を制御するトラッキング制御回路６１５と、目的とする記録層上でのレーザー光の収差が最小となるように光学ヘッド６０１を制御する収差制御回路６１６と、光学ヘッド６０１を光学式情報記録媒体１１の径方向に移動させる移動手段６１７と、を備えている。
【００７８】
ここで、フォーカスエラー信号６０６Ｆは、非点収差法と呼ばれる一般的な方法で生成される。トラッキングエラー信号６０６Ｔは、プッシュプル法と呼ばれる一般的な方法で生成される。
【００７９】
図７は、図６の光学式記録再生装置を用いた光学式記録再生方法を示すフローチャートである。以下に、図７、図５及び図６を参照しながら、本実施の形態の光学式記録再生方法を説明する。
【００８０】
最初に、光学式記録再生装置を起動する（ステップ（以下、ステップをＳと記載する。）１）。具体的には、光学式情報記録媒体１１をスピンドルモーター６０２に装着して回転させた後、光学ヘッド６０１によって情報再生用のレーザー光を光学式情報記録媒体１１上に照射する。例えば、レーザー光入射側からみて最も遠くに配置された第１の記録層１７に焦点を合わせ、リードイン領域１１７にアクセスし、情報トラックにトラッキングして、光学式情報記録媒体１１の識別情報及び補正係数等を読み出す。さらに、情報記録領域１１９の所定の領域にアクセスして、記録済記録層情報を読み出す。識別情報等の読み出しは、光学ヘッド６０１で光学式情報記録媒体１１からの反射光より得られた情報再生信号６０６Ｓを２値化回路６０７で２値化し、その２値化された信号をデータ復調回路６０８で復調してコントローラー６０３に取り込んで行う。記録済記録層情報及び補正係数α１〜α３を、それぞれ、記録済記録層情報格納回路６１１及び補正係数格納回路６１０に格納する。
【００８１】
次に、最適な記録再生条件を求める学習動作を行う（Ｓ２）。学習動作は、以下の手順で行われる。具体的には、まず、光学ヘッド６０１を移動させて、第１の記録層１７のテスト記録領域１１８にアクセスする。コントローラー６０３は、パルス条件設定手段６１３を予め定められた特定の条件または識別情報で指定された条件に設定する。次に、コントローラー６０３から出力された学習動作用の特定データを変調器６０４でレーザー駆動信号に変換する。レーザー駆動回路６０５は、そのレーザー駆動信号に従って光学ヘッド６０１に設けられた半導体レーザーを駆動する。光学ヘッド６０１によって、半導体レーザーから出射された光を光学式情報記録媒体１１に集光し、テスト記録領域１１８にテスト信号の記録を行う。テスト記録されたデータの再生信号のジッター値を信号品質判定回路６０９が測定し、予め定められた判定基準と比較して、信号品質の判定を行う。テスト記録されたデータの再生信号のジッター値が判定基準を満足した場合、学習結果をコントローラー６０３に送り、学習動作を終了する。ジッター値が判定基準を満足しなかった場合、パルス条件を順次変化させて、特定データのテスト記録及びテスト記録されたデータの信号品質の判定を行う。この作業をジッター値が判定基準を満足するまで繰り返すことによって、最適な記録条件を求める。第２の記録層１５及び第３の記録層１３についても同様の手順で最適な記録条件を求める。
【００８２】
次に、Ｓ２の学習動作によって得られた最適な記録条件を記録再生条件格納回路６１２に格納する（Ｓ３）。
【００８３】
次に、ユーザーデータを記録しようとする記録層を特定する目標記録層情報及び記録済記録層情報に基づいて、補正係数の中から対応する補正係数を選択する（Ｓ４）。
【００８４】
第１の記録層１７にユーザーデータを記録する場合であって、Ｓ１で、第２の記録層１５に情報を記録したときの第２の記録層１５の透過率の低下に基づき決定された補正係数α１と、第３の記録層１３に情報を記録したときの第３の記録層１３の透過率の低下に基づき決定された補正係数α２と、第３の記録層１３及び第２の記録層１５の両方に情報を記録したときの第３の記録層１３及び第２の記録層１５を合わせた透過率の低下に基づき決定された補正係数α３とが光学式情報記録媒体１１から読み出されている場合には、補正係数の選択は例えば次のように行う。記録済記録層情報から第３の記録層１３及び第２の記録層１５が記録済かどうかを判断し、第３の記録層１３及び第２の記録層１５が共に未記録の場合には補正係数は用いず、第３の記録層１３のみが記録済みの場合には補正係数α２を選択し、第２の記録層１５のみが記録済みの場合には補正係数α１を選択し、第３の記録層１３及び第２の記録層１５が共に記録済みの場合には補正係数α３を選択する。
【００８５】
次に、最適な記録条件及び補正係数に基づいてパルス条件を設定し、ユーザーデータを情報記録領域に記録する（Ｓ５）。
【００８６】
パルス条件は、レーザー光強度、パルス長さ及び発生タイミングを含み、記録するマークの長さ及び間隔に適応して設定される。
【００８７】
さらに、最新の記録済記録層情報を，光学式情報記録媒体１１の情報記録領域１１９における所定の領域に記録する（Ｓ６）。
【００８８】
以上のように、第３の記録層１３及び第２の記録層１５へのユーザーデータの記録にともなう第２の記録層１５及び第１の記録層１７の記録感度低下を、補正係数を用いてレーザー光強度を補正することにより補償することにより、ユーザーデータを正しく記録することが可能となる。
【００８９】
なお、記録済記録層情報に、ユーザーデータを記録した記録済領域の位置を特定する記録済アドレス情報を含ませても良い。この場合、新たにユーザーデータを記録する前に記録済アドレス情報を読み出し、記録済領域の位置とユーザーデータを記録しようとする位置とを基にして補正係数を選択できる。
【００９０】
例えば、第１の記録層１７にユーザーデータを記録する場合、Ｓ１で読み出した記録済記録層情報に含まれた記録済アドレス情報から、第２の記録層１５が全領域に記録済であり、第３の記録層１３が途中まで記録済であることが判断できたときには、Ｓ４で、情報を記録しようとする第１の記録層１７上の半径位置が、第２の記録層１５の記録済領域の半径位置に当たる場合には補正係数α３を選択し、第３の記録層１３の未記録領域の半径位置に当たる場合には補正係数α１を選択する。
【００９１】
これによって、レーザー光入射側からみて手前に配置されている記録層が途中まで記録されている場合でも、記録済領域の半径位置と記録しようとする半径位置との関係に基づき、手前側の記録層へのユーザーデータの記録にともなう記録感度低下を確実に補償することができる。
【００９２】
また、記録したユーザーデータを書き換えることのない追記型の光学式情報記録媒体の場合には、予め各記録層のユーザーデータを記録する順番を決めておくことが好ましい。例えば、レーザー光入射側からみて奥に位置する記録層から順に手前に位置する記録層へと記録する場合は、目的の記録層に対して情報を記録する際に、その目的の記録層よりも手前に位置する記録層は全て未記録状態であるため、学習動作によって求めたパルス条件で正しくユーザーデータが記録できる。また、手前の記録層から奥の記録層に向かって順に情報を記録する場合は、目的の記録層より手前に位置する記録層は全て記録状態であるため、レーザー光強度の制御が簡単になる。
【００９３】
このように記録する記録層の順番を予め決めておく場合、記録済記録層情報及び記録済アドレス情報を光学式情報記録媒体の特定の場所に記録し、新たにユーザーデータを記録する前にこの記録済記録層情報及び記録済アドレス情報を読み出し、記録済記録層情報と一致する記録層以降の順番でユーザーデータを記録する記録層においてのみ学習動作を行い、ユーザーデータを記録するパルス条件を決定してもよい。この場合、ユーザーデータを記録する可能性のある記録層のみでテスト記録を行うので、学習動作に要する時間を短縮できる。
【図面の簡単な説明】
【００９４】
【図１】本発明の光学式情報記録媒体の一実施形態を示す断面図である。
【図２】図１に示す光学式情報記録媒体をより詳細に示した断面図である。
【図３】本発明の一実施形態におけるテスト記録時のレーザー光の強度と再生した信号のジッター値との関係を示す関係図である。
【図４】本発明の一実施形態におけるテスト記録時のレーザー光の強度と再生した信号のジッター値との関係を示す関係図である。
【図５】本発明の光学式情報記録媒体の別の実施形態を示す断面図である。
【図６】本発明の光学式記録再生装置の一実施形態を示すブロック図である。
【図７】図６の光学式記録再生装置を用いた光学式記録再生方法を示すフローチャートである。
【図８】従来の光学式情報記録媒体を示す斜視図である。
【符号の説明】
【００９５】
１，１１  光学式情報記録媒体
２，１２  保護層
３，５，１３，１５，１７  記録層
４，１４，１６  透明分離層
６，１８  基板
１０１，１０４，１１１，１１４，１１７  リードイン領域
１０２，１０５，１１２，１１５，１１８  テスト記録領域
１０３，１０６，１１３，１１６，１１９  情報記録領域
２０１，２０３，２０４，２０６  保護膜
２０２，２０５  相変化膜
２０７  反射膜
６０１  光学ヘッド
６０２  スピンドルモーター
６０３  コントローラー
６０４  変調器
６０５  レーザー駆動回路
６０６  プリアンプ
６０７  ２値化回路
６０９  信号品質判定回路
６１０  補正係数格納回路
６１１  記録済記録層情報格納回路
６１２  記録条件格納回路
６１３  パルス条件設定回路
６１４  フォーカス制御回路
６１５  トラッキング制御回路
６１６  収差制御回路
６１７  移動手段
【図１】
2004171740.tif 000003
【図２】
2004171740.tif 000004
【図３】
2004171740.tif 000005
【図４】
2004171740.tif 000006
【図５】
2004171740.tif 000007
【図６】
2004171740.tif 000008
【図７】
2004171740.tif 000009
【図８】
2004171740.tif 000010